(57)【特許請求の範囲】
【請求項１】
建物の居室部の床下空間に設置される冷暖房可能な空調装置と、該居室部に隣接配置される自動車を収納する車庫である土間部の土間床面を、前記居室部の居室床面よりも低く設定した建物構造であって、
前記空調装置の冷房時には冷気を吹き出し、暖房時には暖気を吹き出す吹出口を、前記土間床面と、前記居室床面との間に設定される段差部のうち、前記車庫に自動車が収納された状態において該自動車の側面に面する土間側側面に開口形成しており、
前記土間部の土間床面上方に位置する土間空間部と、前記居室部の居室空間部との間を開閉自在とする間仕切り部材を有し、
前記居室部の居室床面には、前記空調装置の冷房時には冷気を吹き出し、暖房時には暖気を吹き出す居室床給気口部が設けられていることを特徴とする建物構造。
【請求項２】
前記土間部には、自動車に搭載されるバッテリの充放電を行う充放電装置を設けたことを特徴とする請求項１に記載の建物構造。
【発明の詳細な説明】
【技術分野】
【０００１】
本発明は、良好な設備効率で、土間部の環境を向上させることが出来る建物構造に関するものである。
【背景技術】
【０００２】
従来、建物等の排熱を利用して、自動車の構成要素の暖気に利用する排熱利用システムが知られている（特許文献１乃至３参照）。
【先行技術文献】
【特許文献】
【０００３】
【特許文献１】特開２００６−３２２４０７号公報
【特許文献２】特開２００９−４０２３３号公報
【特許文献３】特開２００７−２５２１１７号公報
【発明の概要】
【発明が解決しようとする課題】
【０００４】
しかしながら、このような従来の排熱利用システムでは、車庫内に駐車した状態で、空調媒体を搬送する媒体搬送管を、自動車に連結しなければならない。
【０００５】
このため、この媒体搬送管と自動車との接続部分の装脱着作業が、煩雑となってしまうといった問題があった。
【０００６】
そこで、本発明の目的は、土間部の環境を、効率良く向上させることが出来、設備効率の良好な建物構造を提供することにある。
【課題を解決するための手段】
【０００７】
上記目的を達成するために、本発明の請求項１に記載されたものは、建物の居室部の床下空間に設置される空調装置を有して、該居室部に隣接配置される土間部の土間床面が、前記居室部の居室床面よりも低く設定された建物構造である。
【０００８】
そして、前記土間床面と、前記居室床面との間に設定される段差部のうち、土間側側面に前記空調装置の吹出口が開口形成されている建物構造を特徴としている。
【０００９】
また、前記土間部は、自動車を収納する車庫である。
【００１４】
更に、前記土間部の土間床面上方に位置する土間空間部と、前記居室部の居室空間部との間を開閉自在とする間仕切り部材を有する。
【００１５】
また、前記居室部の居室床面には、前記空調装置の居室床給気口部が設けられている。
【００１６】
そして、請求項２に記載されたものは、前記土間部には、自動車に搭載されるバッテリの充放電を行う充放電装置を設けたことを特徴としている。
【発明の効果】
【００１７】
本発明の請求項１に記載されたものによれば、前記土間部の土間床面と居室床面との間に設定される段差部のうち、土間側側面に設けられた空調装置の吹出口から、冷気又は暖気が、土間部の空間内に供給される。
【００１８】
土間部では、建物の居室部の床下空間に設置される空調装置の空調能力を効率良く利用できる。
【００１９】
従って、良好な設備効率で、土間部の環境を向上させることが出来る。
【００２０】
また、前記土間部が、自動車を収納する車庫であるので、夜間等、駐車中に自動車の構成要素の温熱環境を、暖気若しくは冷気で、効率良く調整が出来る。
【００２１】
このため、暖気運転等を省略または削減でき、迅速に発進できる。
【００２２】
また、自動車に搭載したエネルギー（ガソリン車ではガソリン、電気自動車では電気）を暖気運転等に消費するのを抑制できるので、航続距離を延ばすことが出来る。
【００２３】
特に、現状航続距離の短い電気自動車では効果が大きい。
【００２８】
更に、前記間仕切り部材によって、土間部の土間床面上方に位置する土間空間部と、前記居室部の居室空間部との間が開閉自在となるので、空調効率が良好である。
【００２９】
また、前記床下空間に設置される空調装置によって、独立若しくは同時に、車庫空間部と及び、居室空間部とを冷暖房可能となるため、設備効率が良好である。
【００３０】
そして、前記居室部の居室床面に設けられた前記空調装置の居室床給気口部によって、冷気又は暖気が供給されて、車庫空間部内と、居室空間部内とを同一雰囲気温度にすることが出来、居室空間の一部として、前記土間部を利用することが可能となる。
【００３１】
また、請求項２に記載されたものは、前記土間部に設けられた充放電装置によって、建物の側から、夜間電力等の割安な電力を用いて、自動車に搭載されるバッテリへの充放電を行うことが出来る。
【図面の簡単な説明】
【００３２】
【図１】本発明の実施の形態の実施例１の建物構造で、建物全体の構成を説明する１階部分の平面図である。
【図２】実施の形態の実施例１の建物構造で、図１のＡ−Ａ線に沿った位置での断面図である。
【図３】実施の形態の実施例１の建物構造で、自動車が車庫から出た後の土間部内の様子を表す一部断面斜視図である。
【図４】本発明の実施の形態の実施例２の建物構造で、建物全体の構成を説明する１階部分の平面図である。
【図５】実施の形態の実施例２の建物構造で、図４のＢ−Ｂ線に沿った位置での断面図である。
【発明を実施するための形態】
【００３３】
以下、本発明の実施の形態の建物構造を図面に基づいて説明する。
【００３４】
図１乃至図５は、この発明の実施の形態の空調システムを備えた建物構造を示すものである。
【００３５】
まず、建物の構成から説明すると、この実施の形態の建物としての住宅１は、主に、図２に示すように、基礎断熱構造となるように構築された基礎底盤コンクリート１ａと、この基礎底盤コンクリート１ａの周囲に立設された基礎側壁コンクリート１ｂとを有している。
【００３６】
また、この住宅１の前記基礎側壁コンクリート１ｂの上端面部からは、上方に向けて外壁部１ｃが延設されて、これらの外壁部１ｃ…によって囲まれた上部開口を覆う天井部１ｅを有する屋根部１ｄが、載置されている。
【００３７】
そして、これらの基礎側壁コンクリート１ｂの床下空間５側には、グラスウール等の基礎断熱材１ｆが、略全周に渡り貼設されていて、屋外９と、この住宅１内との間で断熱が行われるように構成されている。
【００３８】
更に、この床下空間５内には、空調装置６が設置されている。
【００３９】
この空調装置６は、夜間電力を利用可能なヒートポンプ式で構成されていて、屋外９に載置される屋外機６ｂと、配管６ｃ…を介して接続されると共に、着脱可能なフィルタを有する屋内機６ａとを有している。
【００４０】
この空調装置６には、各吹き出し口からの吹き出し温度及び風量を調整可能なコントローラ６ｄが、配線６ｅを介して接続されている。
【００４１】
このコントローラ６ｄは、下階としての一階部分に設けられる居室部２の壁面２ａに添着されている。
【００４２】
このヒートポンプ式の空調装置６は、熱を低温物体と高温物体との間で移動させることにより、冷却若しくは加熱を行う装置である。
【００４３】
すなわち、この実施の形態の空調装置では、二酸化炭素などの熱媒を、前記配管６ｃ…内で循環させながら、膨張・圧縮を行うことで、熱を吸収又は放出して、熱媒を冷却したり、加熱したりすることができるように構成されている。
【００４４】
また、この空調装置６の屋内機６ａには、除湿された空気中の水分を屋外に排水するドレインパイプ部６ｆが、前記基礎側壁コンクリート１ｂの内外面を貫通して、屋外に向けて延設されている。
【００４５】
そして、この屋内機６ａには、吸込部６ｇと、吹出部６ｈとが設けられていて、図示省略の内蔵ファンの回転を切り替えることにより、この吹出部６ｈから、様々な風速の冷気若しくは暖気を、吹出可能としている。
【実施例１】
【００４６】
図１乃至図３は、この実施の形態の実施例１の建物構造を示すものである。
【００４７】
この建物構造では、図１に示すように、住宅１の一階部分に、玄関部４が設けられると共に、この玄関部４を正面から見て左，右に、居室部２と、土間部３とが、隣接されて配置されている。
【００４８】
このうち、この実施例１では、図２に示すように、前記居室部２の床下空間５に、前記空調装置６の屋内機６ａが、基礎底盤コンクリート１ａの上面で、前記基礎側壁コンクリート１ｂの壁際に沿って設置されている。
【００４９】
この屋内機６ａのうち、前記吸込部６ｇには、吸込ダクト部材１４が、接続されると共に、前記吹出部６ｈには、吹出ダクト部材１５が、各々接続されている。
【００５０】
このうち、前記吸込ダクト部材１４は、前記居室部２の居室床面８の上方空間から、吸気を行う居室内吸込口１４ａと、床下空間５内に向けて、位置する事により、床下空間５内の空気の吸気を行う床下吸込口１４ｂとを有している。
【００５１】
また、この吸込ダクト部材１４の途中には、前記居室内吸込口１４ａと、前記床下吸込口１４ｂとの間で、吸込経路を切り替える吸込経路切換弁１４ｃが設けられている。
【００５２】
更に、前記吹出ダクト部材１５は、前記居室部２の居室床面８の上方空間から、吸気を行う居室内吹出口１５ａと、床下空間５内に向けて、位置する事により、床下空間５内の空気の吸気を行う床下吹出口１５ｂとを有している。
【００５３】
また、この吹出ダクト部材１５の途中には、前記居室内吹出口１５ａと、前記床下吹出口１５ｂとの間で、吹出経路を切り替える吹出経路切換弁１５ｃが設けられている。
【００５４】
そして、前記居室床面８のうち、前記居室内吸込口１４ａ及び居室内吹出口１５ａに対応する箇所には、床上空調開口部１６が、開口形成されていて、この床上空調開口部１６には、格子状の空気導通路を有する通気グリル部材１７が嵌着されている。
【００５５】
更に、この実施例１では、居室部２の居室床面８には、土間部３近傍に、図１又は図３に示すような前記空調装置６の居室床給気口部１６ａ…が、設けられていて、各々通気グリル部材１７…が、嵌着されている。
【００５６】
また、前記土間部３の土間床面７は、前記居室部２の居室床面８よりも、高さ方向寸法ｈ１低く設定されていて、前記玄関部４のポーチ面部４ａ及び、居室部２の床下空間５の底面部５ａと略同一高さ位置となるように構成されている。
【００５７】
前記土間床面７と、前記居室床面８との間には、この高さ方向寸法ｈ１を有する段差部１０が設定されている。
【００５８】
この段差部１０には、上がり框が設定されると共に、土間側側面１１には、前記空調装置６の吹出口１２…が、複数開口形成されている。
【００５９】
また、これらの吹出口１２…は、前記床下空間５と、前記土間部３の土間空間部としての車庫空間部２７との間を連通させて、格子状の空気導通路を有する床下空調ガラリ部材１３ａ，１３ｂ，１３ｃ…が、各々嵌着されている。
【００６０】
この実施例１の自動車１００では、車体前部１００ａ内部に、空調用又は動力用熱交換器１０１が設けられると共に、電気自動車若しくはハイブリッドカーの場合には、モータ若しくはエンジンの少なくとも何れか一方を有して構成されるパワーユニット１０２が設けられている。
【００６１】
このような自動車１００を収納する車庫では、図１に示すように、土間部３の前記空調装置６の吹出口１２のうち、床下空調ガラリ部材１３ａが嵌着された部分から供給される送風が、車体下面側に潜り込んで、前記空調用又は動力用熱交換器１０１，モータ若しくはエンジンからなるパワーユニット１０２に効率良く当たるように、自動車１００が、この土間床面７上方の車庫空間部２７内に駐車された位置で、床下空調ガラリ部材１３ａと、これらの空調用又は動力用熱交換器１０１若しくは、パワーユニット１０２と略対向する位置に配置されている。
【００６２】
更に、この実施例１の建物構造では、図２に示すように、前記各床下空調ガラリ部材１３ａ，１３ｂ，１３ｃ，土間空調ガラリ部材２０，２６を通って、土間部３に供給される冷気又は暖気が、自動車１００のフロアパネル１００ｂの下面側と、土間床面７との間の隙間に供給されるように、前記各吹出口１２，…１９，２５の位置が、設定されている。
【００６３】
この実施例１の車庫では、図１に示すように、土間部３に駐車された自動車１００の内部に設けられたパワーユニット１０２に、前記空調装置６の吹出口１２のうち、床下空調ガラリ部材１３ｂが嵌着された部分から供給される送風が、効率良く当たるように配置されている。
【００６４】
更に、この実施例１の建物構造では、自動車１００の車庫として使用する土間部３の奥側側壁部１８は、これらの吹出口１２…と、略同じ高さ位置となるように、吹出口１９が開口形成されている。
【００６５】
そして、この吹出口１９には、土間空調ガラリ部材２０が、嵌着されている。
【００６６】
このため、この実施例１の車庫では、土間部３に駐車された自動車１００のフロアパネル１００ｂ近傍に設けられたバッテリ１０３に、前記空調装置６の床下空調ガラリ部材１３ａ及び土間空調ガラリ部材２０が嵌着された吹出口１２，１９から供給される送風が、車体下面側に、車両側方若しくは後方から潜り込んで、効率良く当たるように配置されている。
【００６７】
このように、この実施例１では、土間部３の奥側側壁部１８と、奥側に位置する基礎側壁コンクリート１ｂとの間には、給気通路２１が形成されていて、前記居室部２の床下空間５と連通されることにより、前記空調装置６の床下吹出口１５ｂから供給される冷気又は暖気が、この土間部３の空間内に供給可能とされている。
【００６８】
この給気通路２１は、土間部３の奥側に位置するコーナ部２２を介して、この土間部３の側壁部２３と、側面に位置する基礎側壁コンクリート１ｂ及び外壁部１ｃとの間に形成された給気通路２４内に連通されている。
【００６９】
また、この側壁部２３には、前記各吹出口１２…と、略同じ高さ位置となるように、吹出口２５が、開口形成されている。
【００７０】
そして、この吹出口２５には、土間空調ガラリ部材２６が、嵌着されている。
【００７１】
この土間部３の側壁部２３と、基礎側壁コンクリート１ｂ及び外壁部１ｃとの間には、給気通路２４が形成されていて、前記居室部２の床下空間５の前記空調装置６の床下吹出口１５ｂから供給される冷気又は暖気が、前記給気通路２１，前記コーナ部２２及びこの給気通路２４内を通過して、前記土間部３の空間内に、前記吹出口２５から供給可能となるように構成されている。
【００７２】
このように、この実施例１では、床下空間５の前記空調装置６の床下吹出口１５ｂから供給される冷気又は暖気が、各吹出口１２，…１９，２５の床下空調ガラリ部材１３ａ，１３ｂ，１３ｃ，土間空調ガラリ部材２０，２６を介して、この土間部３の車庫空間部２７内に供給可能としている。
【００７３】
更に、この土間部３のコーナ部２２近傍には、前記自動車１００に搭載されたバッテリ１０３の充放電を行う充放電装置１０４が設けられている。
【００７４】
そして、この実施例１の建物構造では、土間床面７上方に位置する車庫空間部２７と、居室部２の居室空間部２８内との間を開閉自在とする間仕切り部材２９，２９が設けられている。
【００７５】
この間仕切り部材２９，２９は、ガイドレール２９ａ，２９ａに沿って、一部若しくは全部が、スライド収納される事により、前記車庫空間部２７と、居室空間部２８との間を連通させて、居室空間の一部として、前記土間部３が利用可能となるように構成されている。
【００７６】
また、この実施例１では、前記土間部３の入口側開口部３ａには、この入口側開口部３ａを開閉可能とするシャッタ装置３ｂが設けられている。
【００７７】
このため、前記間仕切り部材２９，２９の開閉状態に関わらず、このシャッタ装置３ｂによって、入口側開口部３ａを閉塞することにより、前記土間床面７上方に位置する車庫空間部２７内の雰囲気を、屋外の雰囲気と略隔離することが出来るように構成されている。
【００７８】
次に、この実施例１の建物構造の作用効果について説明する。
【００７９】
このように構成された実施例１の空調システムを備えた建物構造では、図２に示すように、居室部２の壁面２ａに設けられたコントローラ６ｄを操作して、前記空調装置６を動作させると、この居室部２内への冷気若しくは暖気の供給と共に、若しくは独立して、前記土間部３の土間床面７と居室床面８との間に設定される段差部１０のうち、土間側側面１１に設けられた吹出口１２から、冷気又は暖気が、土間部３の空間内に供給される。
【００８０】
土間部３では、駐車場として自動車１００が収納されている場合、図２に示すように、前記各吹出口１２…，１９，２５から給気される冷気又は暖気が、車体下面側と土間床面７との間へ、車両側方若しくは後方から潜り込んで、効率良く、車体前部１００ａ内部に設けられた空調用又は動力用熱交換器１０１，電気自動車若しくはハイブリッドカーの場合には、モータ若しくはエンジンの少なくとも何れか一方を有して構成されるパワーユニット１０２，及びフロアパネル１００ｂ近傍に設けられたバッテリ１０３に、個別若しくは、同時に当てられる。
【００８１】
例えば、冬場の暖機運転が必要な場合に、暖機運転を省略又は減少させることが出来る。
【００８２】
このため、割安な深夜電力等を利用して前記充放電装置１０４から、自動車１００のバッテリ１０３を充電している間に、車体の温熱環境を調整して、直ちに発進出来る。
【００８３】
しかも、発進時に既に温熱環境が調整されているので、電気自動車やハイブリッドカーでは、走行中のバッテリ１０３の消費量を抑制出来、エネルギ効率が良好である。
【００８４】
また、この実施例１では、前記土間部３が、自動車１００を収納する車庫であるので、夜間等、駐車中に自動車１００の構成要素の温熱環境を、隣接する居間部２の床下空間５に設けられた空調装置６を、夜間電力を用いて運転して、暖気若しくは冷気で、効率良く調整が出来る。
【００８５】
このため、自動車１００の発進時の暖気運転等を省略または削減でき、迅速に発進できる。
【００８６】
また、自動車１００に搭載したエネルギ（ガソリン車ではガソリン、電気自動車では電気）を暖気運転等に消費するのを抑制できるので、航続距離を延ばすことが出来る。
【００８７】
特に、自動車１００が、現状航続距離の短い電気自動車である場合は、効果が大きい。
【００８８】
このように、自動車１００の空調用又は動力用熱交換器１０１に暖気を直接供給して、予め温度を上昇させておくことにより、発進時の暖房温度の上昇速度を向上させることが出来る。
【００８９】
しかも、車室内の環境温度もこの暖気の供給により上昇しているので、自動車１００に設けられているＰＴＣヒータやセラミックヒータ等のエネルギを消費する暖房器具を発進時には、ＯＦＦ若しくは、弱運転とすることが出来、消費電力を抑制し、エネルギ効率を良好なものとすることが出来る。
【００９０】
更に、夏場には、空調用又は動力用熱交換器１０１，モータ若しくはエンジン等のパワーユニット１０２，及びバッテリ１０３に、必要に応じて冷気を直接供給して当接させる事により、効率的に冷却出来る。
【００９１】
そして、空調用又は動力用熱交換器１０１に冷気を直接供給して、予め温度を低下させておくと共に、車体自体も冷却することが可能で、発進時に快適な車室内環境を得られる温度まで下げることが出来る。
【００９２】
このため、車室内の環境温度もこの冷気の供給により低下しているので、自動車１００に設けられている空調装置の電動コンプレッサ等を発進時には、ＯＦＦ若しくは、駆動量を減少させて、消費電力を抑制し、エネルギ効率を良好なものとすることが出来る。
【００９３】
また、この実施例１では、前記土間部３の入口側開口部３ａに設けられたシャッタ装置３ｂが、この入口側開口部３ａを閉塞するので、更に、建物の居室部の床下空間に設置される空調装置の空調能力を効率良く利用できる。
【００９４】
しかも、夜間等では、無人の居室部２を冷暖房する必要が無いので、前記間仕切り部材２９，２９を閉じて、土間床面７上方に位置する車庫空間部２７と、居室部２の居室空間部２８内との間を遮断することにより、狭い被冷暖房空間を土間部３に形成することが出来る。
【００９５】
従って、更に、住宅１の居室部２の床下空間５に設置される空調装置６の空調能力を、効率良く利用できる。
【００９６】
例えば、前記土間部３を乾燥室として用いる場合、前記床下空間に設置される空調装置６の乾燥能力を利用することにより、設備効率が良好である。
【００９７】
また、図３に示すように、前記土間部３から、自動車１００が、発進した後は、車庫空間部２７が、空状態となるので、作業スペースとして利用出来、スペース効率が良好で有る。
【００９８】
例えば、前記間仕切り部材２９，２９を開放することにより、この車庫空間部２７と、前記居室空間部２８とが連通して、一つの連続した大きな空間部として利用できる。
【００９９】
この際、前記シャッタ装置３ｂによって、入口側開口部３ａを閉塞すると共に、前記居室床面８の土間部３近傍等に設けられた空調装置６の前記居室床給気口部１６ａ…等から、冷気又は暖気を供給して、車庫空間部２７内と、前記居室空間部２８内とを同一雰囲気温度にすることが出来、居室空間の一部として、前記土間部３を利用することが出来る。
【０１００】
また、この居室床面８の土間部３近傍に設けられた居室床給気口部１６ａ…から、車庫空間部２７と、前記居室空間部２８との間に、冷気又は暖気等の送風を上方に向けて供給することにより、エアカーテンとして利用する事も出来、空間としての拡がりを持たせつつ、温調雰囲気を分離独立させる等、状況に応じて、快適な居室空間を得られる。
【０１０１】
更に、この実施例１では、前記土間部３に設けられた充放電装置１０４から延設される充放電ケーブル１０４ａを、駐車中の自動車１００に接続することにより、住宅１の側から、夜間電力等の割安な電力を用いて、自動車１００に搭載されるバッテリ１０３への充放電を行うことが出来る。
【０１０２】
また、この充放電ケーブル１０４ａを介して、自動車１００に搭載されたバッテリ１０３の側から、余剰電力を住宅１側に供給したり、或いは、売電したりすることが出来る。
【０１０３】
充電完了後、前記空調装置６を用いた土間部３の空調制御を行えば、夜間電力を用いながら、自動車１００の出発前の温調環境の整備を行うことが出来、各機器の電力消費の時間が重複することによるピークの発生も抑制できる。
【０１０４】
そして、自動車１００を土間部３内に出入りさせる際に、従来の車庫のように、空調媒体を搬送する媒体搬送管を、連結若しくは分離する装脱着作業が、不要となる。
【０１０５】
従って、充電完了後、自動車１００の温熱環境が整った状態となっていると、直ちに自動車１００を土間部３から出して発進させることが出来、入出庫時の作業の煩雑さを減少させることが出来る。
【０１０６】
例えば、自動車１００が電気自動車である場合や、ハイブリッドカーである場合でも、パワーユニット１０２の電気モータの温調環境を整えることにより、発進時の駆動源として用いて直ちに発進出来る。
【０１０７】
しかも、負荷の大きな発進時に、電気モータの温調環境及び、車体の温調環境が整うことにより、更に、電気モータによる走行中の電力消費を抑制して、省燃費化を図ることが出来る。
【０１０８】
このため、自動車１００運転中のエネルギ消費が抑えられる。
【０１０９】
特に、発進時に燃費消費が多い自動車１００では、平均燃費を向上させることが出来るので、航続距離を延ばすことが出来る。
【０１１０】
また、空調装置６に設けられた換気機能を用いることにより、電気モータによる走行のまま、車庫空間部２７内に自動車１００が、駐車の為に侵入する際や或いは、発進時に、巻き上げられた塵芥の除去が容易に行えて、更に、居室空間部２８として一体に前記車庫空間部２７を利用する際にも、空気を清潔で、良好な環境とすることが出来る。
【０１１１】
更に、この実施例１の建物構造では、前記車庫として機能する土間部３を、居室部２と同じ基礎底盤コンクリート１ａの上に設けて、基礎側壁コンクリート１ｂで囲われた車庫空間部２７の内側に、自動車１００を駐車収納するように構成されている。
【０１１２】
このため、グラスウール等によって構成される基礎断熱材１ｆが、基礎側壁コンクリート１ｂの床下空間５側に略全周に渡り貼設されることにより、屋外９と、この住宅１の屋内との間で断熱が行われて、別途車庫部分を囲む専用の断熱材を不要としている。
【０１１３】
特に、居室部２と土間部３との間に設けられた段差部１０の土間側側面１１には、断熱材を貼設する必要が無い。
【０１１４】
従って、断熱材を居室部２と土間部３とで兼用して、車庫を含む住宅１全体の外周に貼設するだけで良く、部材点数を減少させることにより、製造コストの増大を抑制できる。
【実施例２】
【０１１５】
図４及び図５は、この発明の実施例２の建物構造を示すものである。なお、前記実施の形態及び実施例１の建物構造と同一乃至均等な部分については、同一符号を付して説明する。
【０１１６】
この実施例２の建物構造では、建物としての住宅２０１の玄関部２０４には、居室部の一部としての廊下部２０５が連設されると共に、この廊下部２０５を挟んで、正面視左，右両側に、衣料品２０６…を収納するクローゼット２０３ａを構成する土間部２０３と、自動車１００を収納する車庫として機能する土間部３とが振り分けられて、隣接形成されている。
【０１１７】
この土間部２０３のクローゼット２０３ａは、前記玄関部２０４の土間２０４ａに対して、折戸部材２０２によって、開閉自在となるように連通されていて、床面を略面一とすることにより、玄関部２０４側から、居住者がクローゼット２０３ａ内に入り、衣料品２０６…の出し入れを可能としている。
【０１１８】
また、この廊下部２０５の奥縁部には、居室部の一部としての居室空間部２２８が設けられている。
【０１１９】
この居室空間部２２８の床下空間５には、空調装置６の屋内機６ａが設けられている。
【０１２０】
そして、この屋内機６ａからの冷気若しくは暖気が、床下空間５を通り、吹出口１９及び土間空調ガラリ部材２０を介して、隣接配置される前記土間部３に供給される。
【０１２１】
また、この実施例２では、前記居室空間部２２８及び廊下部２０５の床下空間に、空調通路２０８が、連通形成されている。
【０１２２】
この空調通路２０８は、床上空調開口部１６，居室床給気口部１６ａ、各吹出口１９，及び床下空調ガラリ部材１３ａ〜１３ｃが嵌着された各吹出口１２…に、各々屋内機６ａからの冷気若しくは暖気を送風可能に構成されている。
【０１２３】
更に、この実施例２では、前記クローゼット２０３ａと、廊下部２０５との間の段差部２１０には、土間側側面としてのクローゼット側側面２１０ａに、クローゼット吹出口２０９が開口形成されていて、前記空調通路２０８と連通されるように構成されている。
【０１２４】
このクローゼット吹出口２０９には、ガラリ部材２１１が嵌着されていて、床上空調開口部１６，居室床給気口部１６ａ…，各吹出口１２，…１９等と同様に、前記空調装置６から供給される冷気又は暖気を、このクローゼット２０３ａ内空間に送風可能に構成されている。
【０１２５】
次に、この実施例２の建物構造の作用効果について説明する。
【０１２６】
この実施例２の建物構造では、前記実施の形態及び実施例１の作用効果に加えて、更に、前記玄関部２０４と連通された土間部２０３が、前記空調装置６から供給される冷気又は暖気を、段差部２１０のクローゼット側側面２１０ａに開口形成されたクローゼット吹出口２０９から、導入できる。
【０１２７】
このため、この土間部２０３をクローゼット２０３ａとして用いた場合に、乾燥した送風を、このクローゼット吹出口２０９から送風することにより、クローゼット２０３ａ内部に収納された衣料品２０６を乾燥させることが可能で、収納中の防カビ性能を良好なものとすることができる。
【０１２８】
このように、この実施例２の建物構造では、前記居室空間部２２８の床下空間５に設置される空調装置６の乾燥能力を利用することにより、別途、クローゼット専用の空調装置が不要となり、設備効率が良好である。
【０１２９】
しかも、この土間部２０３のクローゼット２０３ａは、前記玄関部２０４の土間２０４ａに対して、折戸部材２０２を介して連通されていて、床面が略面一である。
【０１３０】
従って、玄関部２０４側から、居住者がクローゼット２０３ａ内に入り、衣料品２０６…の出し入れを容易に行えて、外出及び帰宅時の使用利便性が良好である。
【０１３１】
このように、この実施例２の建物構造では、前記床下空間５に設けられた空調装置６を用いることにより、土間部２０３を、衣料品２０６…を収納するクローゼット２０３ａとして利用し、温調機能及び乾燥機能を有する衣料品収納空間として活用することが出来る。
【０１３２】
更に、この実施例２では、前記間仕切り部材２９，２９によって、車庫の土間床面７上方に位置する車庫空間部２７と、前記居室部としての廊下部２０５との間が、開閉自在となるように構成されている。
【０１３３】
このため、前記間仕切り部材２９，２９を閉塞した状態では、空調効率が良好であると共に、間仕切り部材２９，２９が開放された状態では、前記車庫空間部２７が、前記廊下部２０５空間及び階段下の玄関ロビー部空間と連通された大きな空間として、利用出来る。
【０１３４】
例えば、段差部１０に上がり框を設定して、車庫空間部２７との出入りを行うようにしてもよい。
【０１３５】
また、、前記土間部３を、作業スペースとして有効利用する等、玄関ロビー部空間を含めたマルチスペースとしての自由度を増大させることができる。
【０１３６】
他の構成及び作用効果については、前記実施の形態及び実施例１と同一乃至均等であるので、説明を省略する。
【０１３７】
以上、図面を用いて、本発明の実施の形態及び実施例１，２の建物構造を詳述してきたが、具体的な構成は、この実施の形態に限らず、本発明の要旨を逸脱しない程度の設計的変更は、本発明に含まれる。
【０１３８】
即ち、前記実施の形態では、住宅１の居室部８の床下空間５に、屋内機６ａが設置された空調装置６を用いて説明してきたが、特にこれに限らず、例えば、床下空間５に設置されるものは、屋内機６ａに、屋外機６ｂが一体化されたもののみならず、屋内機６ａ若しくは屋外機６ｂの一部や、或いは、ダクトの一部等、空調装置６を構成する部品の少なくとも一部が、床下空間５に設置されていれば良い。
【０１３９】
また、床下空間５も、居室部８の下方のみならず、床面を有する箇所であれば、建物の如何なる部分であってもよい。
【０１４０】
更に、前記吹出口１２の開口形成箇所も、土間側側面１１に開口形成されるものであれば、この吹出口１２…及び床下空調ガラリ部材１３ａ〜１３ｃの形状、数量及び材質が特に限定されるものではない。
【０１４１】
また、前記土間空調ガラリ部材２０，２６が嵌着される吹出口１９，２５は、無くても良く、前記吹出口１９，２５及び土間空調ガラリ部材２０，２６の形状、数量及び材質が特に限定されるものではない。
【０１４２】
更に、実施例２では、居室空間部２２８及び廊下部２０５の下方の一部に、空調通路２０８，２０８が形成されているが、特にこれに限らず、廊下部２０５の下方の全部に、全幅に渡る空調通路２０８を設けても良く、空調通路の有無、構成するダクトの形状、数量及び材質が特に限定されるものではない。
【０１４３】
また、前記実施の形態及び実施例１，２では、前記居室部２の床下空間６に設置される屋内機６ａを有するヒートポンプ式の空調装置６を例示して説明してきたが、特にこれに限らず、例えば、暖房装置としては、電気ヒータ装置、ガスヒータ装置等の暖房装置や、冷房装置としてのエアコン装置の他、ガスエンジンヒートポンプ、灯油エンジンヒートポンプ等、ヒートポンプの形式についても、どのようなものを用いても良く、空調装置の形状、数量及び冷暖房方式が特に限定されるものではない。
【符号の説明】
【０１４４】
１，２０１        住宅（建物）
２                居室部
３，２０３        土間部
５                空調装置
６                床下空間
７                土間床面
８                居室床面
１０，２１０      段差部
１１              土間側側面
１２，１９，２５  吹出口
１６ａ            居室床給気口部
２７              車庫空間部（土間空間部）
２８，２２８      居室空間部
２９，２９        間仕切り部材
１００            自動車
１０４            充放電装置
２０３ａ          クローゼット
２０５            廊下部（居室部の一部）
２０６…          衣料品
２１０ａ          クローゼット側側面（土間側側面）
【図１】
0005438430.tif 000002
【図２】
0005438430.tif 000003
【図３】
0005438430.tif 000004
【図４】
0005438430.tif 000005
【図５】
0005438430.tif 000006